(57)【要約】      （修正有）【課題】使用性、取扱い性に優れ、その使用法が簡素且つ的確な幅木固定具を提供する。【解決手段】幅木１の上側縁部をその板厚方向に両側から掴むように構成された一対のクランプ片１２，１３を含んでなる幅木掴み部１１と、幅木掴み部１１の所定部位から幅木１の板厚方向に延出し、幅木１と仮設足場の建地１０１とに架け渡される接続部１４と、接続部１４に対してその長手方向に移動可能に結合し、建地１０１に掛止される建地挟持部１５とを有する。接続部１４を介して、幅木掴み部１１及び建地挟持部間の間隔を広狭変化し得るようにした。【選択図】図４
0003179205.tif 000002
【実用新案登録請求の範囲】
【請求項１】
仮設足場に幅木を設置するための仮設足場の幅木固定具であって、
前記幅木の上側縁部をその板厚方向に両側から掴むように構成された一対のクランプ片を含んでなる幅木掴み部と、
前記幅木掴み部の所定部位から前記幅木の板厚方向に延出し、前記幅木と前記仮設足場の建地とに架け渡される接続部と、
前記接続部に対してその長手方向に移動可能に結合し、前記建地に掛止される建地挟持部とを有し、
前記接続部を介して、前記幅木掴み部及び前記建地挟持部間の間隔を広狭変化し得るようにしたことを特徴とする仮設足場の幅木固定具。
【請求項２】
前記一対のクランプ片は相互に、前記幅木の板厚方向にスライド可能に連結することを特徴とする請求項１に記載の仮設足場の幅木固定具。
【請求項３】
前記接続部は、前記建地挟持部側の一端部にネジ部を有する棒状部材を含み、前記建地挟持部に形成された貫通孔に前記棒状部材が挿通し、前記ネジ部に螺合するアジャストナットにより前記建地挟持部が緊締されることを特徴とする請求項１又は２に記載の仮設足場の幅木固定具。
【請求項４】
前記建地挟持部は、前記建地との接触部位にカット面を有することを特徴とする請求項１〜３のいずれか１項に記載の仮設足場の幅木固定具。
【請求項５】
前記一対のクランプ片のいずれか一方にそのスライド方向に形成されたスリットを有し、他方に前記スリットと係合するように形成された小突起を有することを特徴とする請求項２〜４のいずれか１項に記載の仮設足場の幅木固定具。
【考案の詳細な説明】
【技術分野】
【０００１】
本考案は、作業用仮設足場において足場の幅木の取付け治具としての幅木固定具に関するものである。
【背景技術】
【０００２】
建設現場等で使用される仮設足場においては近年、足場作業時の物体等の落下防止対策として、幅木の設置が奨励されている。幅木の設置方法としては、足場の布板として使用される木材板や足場板等を、主に「たてじ・建地」（支柱）にくくりつけて設置する方法や、幅木専用の部材を設置する方法が広く行われている。
【０００３】
足場は通常、足場板を数枚並列に並べて構成する。そのため足場板の設置及び撤去がし易いように建地（支柱）の間隔に若干余裕を持たせるのが普通である。従って、幅木を設置する場合、足場板端部と建地（支柱）間が離れている場合が多い。そのような時は幅木を傾けて、即ち幅木の上部が建地に接すると共に、その下部が足場板に接する状態にして設置する場合がしばしば発生する。
【先行技術文献】
【特許文献】
【０００４】
【特許文献１】実用新案登録第３１５５２１６号公報
【特許文献２】実用新案登録第３１５９２５０号公報
【考案の概要】
【考案が解決しようとする課題】
【０００５】
ところで、この種の幅木を設置する場合、次のようなことが要求される。
１）足場板との隙間をなるべく無くす。
２）設置現場によっては、幅木を堅固に固定することを要求される場合がある。
３）容易に幅木の設置・撤去ができること。
４）部材・資材の管理が容易であること。
５）設置・撤去時に特別な工具などを使用しないこと。
６）作業員が直感的に使い方を理解できること。
７）固定されていることが目視で確認できること。
【０００６】
幅木を支柱部分にくくりつける際は一般的に鉄線（番線）が使われる。しかしながら、上記のような要請があるにも拘わらず、くくりつけ作業には時間を要し、作業員のある程度の技量・経験も要する。また撤去時には番線屑が発生する。
【０００７】
なお、近年は幅木を足場の支柱に固定することができる様々な幅木クリップや固定時具が考案されている（特許文献１、特許文献２等）。
【０００８】
本考案はかかる実情に鑑み、使用性、取扱い性に優れ、その使用法が簡素且つ的確な仮設足場の幅木固定具を提供することを目的とする。
【課題を解決するための手段】
【０００９】
本考案の仮設足場の幅木固定具は、仮設足場に幅木を設置するための仮設足場の幅木固定具であって、前記幅木の上側縁部をその板厚方向に両側から掴むように構成された一対のクランプ片を含んでなる幅木掴み部と、前記幅木掴み部の所定部位から前記幅木の板厚方向に延出し、前記幅木と前記仮設足場の建地とに架け渡される接続部と、前記接続部に対してその長手方向に移動可能に結合し、前記建地に掛止される建地挟持部とを有し、前記接続部を介して、前記幅木掴み部及び前記建地挟持部間の間隔を広狭変化し得るようにしたことを特徴とする。
【００１０】
また、本考案の仮設足場の幅木固定具において、前記一対のクランプ片は相互に、前記幅木の板厚方向にスライド可能に連結することを特徴とする。
【００１１】
また、本考案の仮設足場の幅木固定具において、前記接続部は、前記建地挟持部側の一端部にネジ部を有する棒状部材を含み、前記建地挟持部に形成された貫通孔に前記棒状部材が挿通し、前記ネジ部に螺合するアジャストナットにより前記建地挟持部が緊締されることを特徴とする。
【００１２】
また、本考案の仮設足場の幅木固定具において、前記建地挟持部は、前記建地との接触部位にカット面を有することを特徴とする。
【００１３】
また、本考案の仮設足場の幅木固定具において、前記一対のクランプ片のいずれか一方にそのスライド方向に形成されたスリットを有し、他方に前記スリットと係合するように形成された小突起を有することを特徴とする。
【考案の効果】
【００１４】
本考案によれば、アジャストナットを締め込むことにより幅木の上部を掴むと共に、建地（支柱）に固定される。幅木の設置及び撤去作業を容易に行うことができ、幅木の傾き及び幅木の特に板厚の違いにも対応できる。また、構成する部品がばらばらにならないことから管理も容易であり、使用方法の点でも簡単であり、特に初めて使用する作業員でも使い方が直感的にわかる幅木取り付け治具を提供することができる。
【図面の簡単な説明】
【００１５】
【図１】本考案による幅木固定具の適用例を示す仮設足場の概略斜視図である。
【図２】本考案に係る幅木の設置例及び幅木固定具の適用例を示す斜視図である。
【図３】本考案に係る幅木の設置例及び幅木固定具の適用例を示す斜視図である。
【図４】本考案による幅木固定具の具体的構成例を示す斜視図である。
【図５】本考案による幅木固定具の具体的構成例を示す平面図及び側面図である。
【図６】本考案に係る幅木掴み部の一方のクランプ片及び接続部の平面図、側面図及び正面図である。
【図７】本考案に係る幅木掴み部の他方のクランプ片の要部側面図及び正面図である。
【図８】本考案に係る建地挟持部の平面図及び正面図である。
【図９】本考案による幅木固定具のそれぞれ適用例を示す図である。
【考案を実施するための形態】
【００１６】
以下、図面に基づき、本考案による仮設足場の幅木固定具の好適な実施の形態を説明する。
前述のように建設現場等の仮設足場では、足場作業時の物体等の落下防止対策として幅木の設置がされる。ここで先ず、仮設足場の概略構成を説明する。図１は仮設足場１００の一例を示しており、図において建地（縦パイプもしくは支柱）１０１と横架材（横パイプ）１０２とを縦横に組合せ・結合することで、上下に多層構造を有する足場骨格（フレーム）が形成される。そして、各層ごとに複数の足場板１０３が並列に並べて設置される。
【００１７】
足場板１０３は概して矩形状もしくは長方形状を有し、横架材１０２上に架設される。なお、複数列の足場板１０３によって形成される足場は幅方向（Ｗ）にはその上で作業者が作業を行い、あるいはその上を歩行するに十分な幅が確保されている。この場合、足場板１０３の設置及び撤去がし易いように建地１０１の間隔に若干余裕を持たせている。即ち、足場の幅Ｗは、建地１０１の間隔もしくは内幅Ｗ′よりも適度に狭く設定される。
【００１８】
図２及び図３は、かかる仮設足場１００において幅木１の設置例を示している。幅木１は、木材あるいはアルミニウム等の材料を用いて、長尺の短冊状あるいは帯状に形成される。幅木１を設置する場合、足場板１０３の幅方向両端部にて、その長手方向Ｌ（図１参照）に沿って配置される。その際、幅木１は足場板１０３に対して垂直に、あるいは図２及び図３の例のように適度に垂直から傾斜して立掛けられる。上記にように設置される幅木１は、本考案の幅木固定具１０によって固定される。
【００１９】
次に、幅木固定具１０の具体的構成について説明する。図４及び図５に示されるように幅木固定具１０は、幅木１の上側縁部をその板厚方向に両側から掴むように構成された一対のクランプ片１２，１３を含んでなる幅木掴み部１１と、幅木掴み部１１の所定部位から幅木１の板厚（ｔ）方向に延出し、幅木１と仮設足場１００の建地とに架け渡される接続部１４と、接続部１４に対してその長手方向に移動可能に結合し、建地１０１に掛止される建地挟持部１５とを有する。
【００２０】
更に、幅木固定具１０について具体的に説明する。一方のクランプ片１２は図６に示されるように薄板材を概してカギ状もしくはＬ字状に折曲成形してなり、Ｌ字の一辺部（底辺対応部）１２ａにスロット１６が構成される。このスロット１６は、当該薄板材の一部を内側に折り曲げる等して形成することができる。他方のクランプ片１３は同様にして、図７のように薄板材を概してカギ状もしくはＬ字状に折曲成形してなり、そのＬ字の一辺部１３ａがスロット１６に挿入されるように形成される。
【００２１】
クランプ片１２のスロット１６にクランプ片１３の一辺部１３ａを挿入することで、一対のクランプ片１２，１３は一体化し、且つ相互に幅木１の板厚方向にスライド可能に連結し、これにより相互の内幅は調整可能である。このように一体化するクランプ片１２，１３は実使用において概略門型を呈する形態（図４等参照）で実装される。
【００２２】
クランプ片１３はスロット１６に挿入されてスライドするが、そのクランプ片１２の一辺部１２ａには図７のように所定長さのスリット１７が形成される。また、クランプ片１３の一辺部１３ａには図７のように、スリット１７と係合するように小突起１８が突設される。小突起１８がスリット１７と係合しながらクランプ片１３がスライドすることで、クランプ片１３の脱落を防ぐことができると共に、そのスライド動作のガイド機能にも寄与する。
【００２３】
接続部１４は鋼製棒状部材でなり、図６に示されるようにカギ状に屈曲した基端部１４ａが、クランプ片１２の一辺部１２ａの上面に溶接等により接合する。接続部１４の基端部１４ａとは反対側の一端部にはネジ部１４ｂが形成される。このネジ部１４ｂには図４等に示すように、建地挟持部１５との間にワッシャ１９を挟んでアジャストナット２０が螺合する。なお、接続部１４はその棒状部材の全長に亘る全ネジであってもよいが、少なくとも建地挟持部１５側の一端部に所定長のネジ部１４ｂが形成されるものとする。
【００２４】
建地挟持部１５は図８に示されるように、棒材（好適には丸棒材）もしくはこれと同等の材料を用いて、平面視で概略コ字状を呈するように形成される。この場合、そのコ字の内幅は、建地１０１がすっぽりと入って収まるように設定される。なお、建地挟持部１５のコ字の内幅と建地１０１との間に適度な遊びを持たせるとよい。また、建地挟持部１５のコ字の一辺部（上辺対応部）には接続部１４の棒状部材が挿通するようにした貫通孔２１が形成される。接続部１４の棒状部材は貫通孔２１に対して遊嵌し、そのままでは軸方向に相互に自由に動き得る。
【００２５】
建地挟持部１５のコ字の一辺部は、この図示例では六角棒材により形成される。このように角材を用いることで、建地１０１に対して当該コ字の一辺部が面接触し、アジャストナット２０を締め込む際にその回転止めとして機能する。なお、このように六角棒材等を用いる場合の他に、丸棒材を用いて建地１０１との接触部位にカット面を形成する等の手法も可能である。
【００２６】
上記の場合、図４あるいは図５等に示すように接続部１４の棒状部材には順に、建地挟持部１５、ワッシャ１９及びアジャストナット２０が組み付けられる。この場合、接続部１４のネジ部１４ｂの先端のネジ山を潰しておき、幅木固定具１０の構成パーツが外れ、あるいは脱落するのを防止し、部品管理を簡易且つ有効に行うことができる。
【００２７】
上記構成において、幅木１を設置する際、図１のような仮設足場１００において足場板１０３によって形成される足場の、建地１０１部に予め仮配置される。幅木固定具１０はその構成パーツが外れないように一体化しているが、アジャストナット２０は当初緩めておき、幅木掴み部１１及び建地挟持部１５間の間隔は広げておく。例えば先ず、建地挟持部１５を建地１０１で掛止させながら、幅木掴み部１１の一対のクランプ片１２，１３の間に幅木１の上側縁部を挟むように、その上から被せる。
【００２８】
この状態でアジャストナット２０を締め込んでいくと、幅木掴み部１１及び建地挟持部１５間の間隔は次第に狭まる。これに伴い建地挟持部１５が緊締されることで、建地１０１が当接するクランプ片１３がクランプ片１２側へスライドし、それらの間に幅木１の上側縁部を挟み込んで的確に掴む。同時に建地挟持部１５とクランプ片１３の間に建地１０１を挟持し、これにより幅木１が固定される（図９（ａ）参照）。
【００２９】
このように実質的にアジャストナット２０を締め込むだけの簡単な操作で、幅木１を強固に固定することができる。この場合、建地挟持部１５が建地１０１に対して面接触するため、不用意に回転するのを防止し、操作し易く且つ的確に行うことができる。またクランプ片１３がスライドする際、スリット１７のガイド作用により円滑なスライド動作が保証される。
【００３０】
本考案によれば、幅木１を掴む幅木掴み部１１は、一対のクランプ片１２，１３相互の内幅が調整可能であるから、幅木１の板厚変化に有効に対応することができる。従って、幅木固定具１０の適用範囲が広く、使用性に極めて優れている。
また、図９（ｂ）のように幅木１を傾けて設置する場合でも、問題なく取付けることができる。更に、図９（ｃ）のように仮設足場１００そのものが傾斜、即ちスロープを形成していても、幅木固定具１０を有効に使用することができる。このように幅木１を設置する仮設足場１００の状況に柔軟に対応することができ、実使用において極めて高い利便性を有する。
【００３１】
また、幅木固定具１０として一体化して構成され、ユニット化されているので、構成パーツがばらばらにならず、部材の管理がし易い等の利点がある。
また、アジャストナット２０で締め込めば堅固に固定され、番線やクリップを使う場合にしばしば発生する幅木１の長さ方向へのずれが殆どない。更に、例えば幅木１の下部を足場内側に押すような力が作用した場合でも、一対のクランプ片１２，１３で幅木１を両側から掴むことにより、そのような外力に対抗する力が強く、幅木１が外れ難く、的確に保持することができる。これにより作業現場における高い安全性を保証することができる。
【００３２】
更に、幅木１の固定時はアジャストナット２０を締め込むだけであり、一方、アジャストナット２０を緩めれば幅木固定具１０を簡単に取り外すことができ、使い方が簡単である。
また、幅木固定具１０は破損するまで繰り返し使用できるので、廃棄物が発生しない。アジャストナット２０を使ってこれを締め込むため、固定強度に個人差が出難く、更に、長期使用の際も緩み難く、安全性に優れていると共にメンテナンス等の手間も少なくて済む等々の利点を有している。
【００３３】
以上、本考案を種々の実施形態と共に説明したが、本考案はこれらの実施形態にのみ限定されるものではなく、本考案の範囲内で変更等が可能である。
上記実施形態においてアジャストナット２０に加えて、そのロックナットを付加し、所謂ダブルナットを構成し、アジャストナット２０の緩み等を防止するようにしてもよい。
【符号の説明】
【００３４】
１  幅木、１０  幅木固定具、１１  幅木掴み部、１２，１３  クランプ片、１４  接続部、１５  建地挟持部、１６  スロット、１７  スリット、１８  小突起、１９  ワッシャ、２０  アジャストナット、１００  仮設足場、１０１  建地、１０２  横架材、１０３  足場板。
【図１】
0003179205.tif 000003
【図２】
0003179205.tif 000004
【図３】
0003179205.tif 000005
【図４】
0003179205.tif 000006
【図５】
0003179205.tif 000007
【図６】
0003179205.tif 000008
【図７】
0003179205.tif 000009
【図８】
0003179205.tif 000010
【図９】
0003179205.tif 000011